(57)【要約】【課題】ウエハーレベルオプティクスで最適なレンズを実現することが可能な光学ユニットおよび撮像装置を提供する。【解決手段】撮像レンズ１００は、物体側ＯＢＪＳから像面１４０側に向かって順番に配置された、第１レンズ群１１０と、第２レンズ群１２０と、を有する。第１レンズ群１１０は、物体側ＯＢＪＳから像面１４０側に向かって順番に配置された、第１レンズエレメント１１１と、第１バッファ層１１２、第１透明体１１３と、第２レンズエレメント１１４と、を含む。第２レンズ群１２０は、物体側ＯＢＪＳから像面１４０側に向かって順番に配置された、第３レンズエレメント１２１と、第２透明体１２２と、第２バッファ層１２３と、第４レンズエレメント１２４と、を含む。【選択図】図１
2010211173.tif 000002
【特許請求の範囲】
【請求項１】
物体側から像面側に向かって順番に配置された、
第１レンズ群と、
第２レンズ群と、を有し、
上記第１レンズ群は、
物体側から像面側に向かって順番に配置された、
第１レンズエレメントと、
第１透明体と、
第２レンズエレメントと、を含み、
上記第２レンズ群は、
物体側から像面側に向かって順番に配置された、
第３レンズエレメントと、
第２透明体と、
第４レンズエレメントと、を含む
光学ユニット。
【請求項２】
上記第１レンズ群の第１透明体の屈折率ｎｇ１およびアッベ数νｇ１は以下の条件を満足する
請求項１記載の光学ユニット。
１．６５  ≦  ｎｇ１  ≦  ２．０
１２  ≦  νｇ１  ≦  ４５
【請求項３】
上記第１レンズエレメントは物体側が凸状で像面側が平状の平凸レンズである
請求項１記載の光学ユニット。
【請求項４】
上記第２レンズユニットは物体側が平状で像面側が凹状の平凹レンズである
請求項１記載の光学ユニット。
【請求項５】
上記第３レンズユニットは物体側が凹状で像面側が平状の平凹レンズである
請求項１記載の光学ユニット。
【請求項６】
上記第４レンズエレメントは物体側が平状で像面側が凸状の平凸レンズである
請求項１記載の光学ユニット。
【請求項７】
上記第４レンズエレメントは物体側が平状で像面側が凸状および凹状が混合する平凸凹レンズである
請求項１記載の光学ユニット。
【請求項８】
上記第１レンズ群の焦点距離ｆｇ１は下記の条件式を満足する
請求項１から７のいずれか一に記載の光学ユニット。
１．２  ≦  ｆｇ１  ≦  ４
【請求項９】
上記第２レンズ群の焦点距離ｆｇ２は下記の条件式を満足する
請求項１から８いずれか一に記載の光学ユニット。
−１０  ≦  ｆｇ２  ≦  −１．２
【請求項１０】
上記第１レンズ群の第１レンズエレメントのアッベ数νｓ１は以下の条件を満足する
請求項１から９のいずれか一に記載の光学ユニット。
４５  ≦  νｓ１  ≦  １００
【請求項１１】
上記第２レンズ群の第２透明体の屈折率ｎｇ２およびアッベ数νｇ２は以下の条件を満足する
請求項１から１０のいずれか一に記載の光学ユニット。
１．２  ≦  ｎｇ２  ≦  １．６５
３５  ≦  νｇ２  ≦  １００
【請求項１２】
上記第４レンズエレメントの凸面の曲率半径Ｒｓ４は以下の条件を満足する
請求項１から１１のいずれか一に記載の光学ユニット。
Ｒｓ４  ≦  −３  または  Ｒｓ４  ≧  １０
【請求項１３】
上記第１透明体の厚さＴｇ１および上記第２透明体の厚さＴｇ２は以下の条件を満足する
請求項１から１２のいずれか一に記載の光学ユニット。
０．２  ≦Ｔｇ１≦  ０．７［ｍｍ］
０．２  ≦Ｔｇ２≦  ２．５［ｍｍ］
【請求項１４】
上記第２レンズエレメントのアッベ数νｓ２は以下の条件を満足する
請求項１から１３のいずれか一に記載の光学ユニット。
２８  ≦  νｓ２  ≦  ６５
【請求項１５】
上記第３レンズエレメントのアッベ数νｓ３は以下の条件を満足する
請求項１から１４のいずれか一に記載の光学ユニット。
２８  ≦  νｓ３  ≦  ４２
【請求項１６】
上記第１透明体および上記第２透明体のうち少なくとも一方はガラスにより形成される
請求項１から１５のいずれか一に記載の光学ユニット。
【請求項１７】
上記第１レンズエレメント、上記第２レンズエレメント、上記第３レンズエレメント、および上記第４レンズエレメントのうち少なくとも一のレンズエレメントは紫外線硬化樹脂により形成される
請求項１から１６のいずれか一に記載の光学ユニット。
【請求項１８】
上記第１レンズエレメント、上記第２レンズエレメント、上記第３レンズエレメント、および上記第４レンズエレメントのうち少なくとも一のレンズエレメントは熱硬化樹脂により形成される
請求項１から１６のいずれか一に記載の光学ユニット。
【請求項１９】
物体側から像面側に向かって順番に配置された、
第１レンズ群と、
第２レンズ群と、を有し、
上記第１レンズ群は、
物体側から像面側に向かって順番に配置された、
第１レンズエレメントと、
第１バッファ層と、
第１透明体と、
第２レンズエレメントと、を含み、
上記第２レンズ群は、
物体側から像面側に向かって順番に配置された、
第３レンズエレメントと、
第２透明体と、
第２バッファ層と、
第４レンズエレメントと、を含む
光学ユニット。
【請求項２０】
撮像素子と、
撮像素子に被写体像を結像する光学ユニットと、を有し、
上記光学ユニットは、
物体側から像面側に向かって順番に配置された、
第１レンズ群と、
第２レンズ群と、を有し、
上記第１レンズ群は、
物体側から像面側に向かって順番に配置された、
第１レンズエレメントと、
第１透明体と、
第２レンズエレメントと、を含み、
上記第２レンズ群は、
物体側から像面側に向かって順番に配置された、
第３レンズエレメントと、
第２透明体と、
第４レンズエレメントと、を含む
撮像装置。
【発明の詳細な説明】
【技術分野】
【０００１】
本発明は、撮像機器に適用される光学ユニットおよび撮像装置に関するものである。
【背景技術】
【０００２】
近年の携帯電話やパーソナルコンピュータ（ＰＣ）等に搭載される撮像機器には、高解像度・ローコスト・小型化が強く求められている。
【０００３】
ＣＣＤ(Charge Coupled Device)やＣＭＯＳ(Complementary Metal Oxide Semiconductor)イメージセンサ等の撮像素子のセルピッチが劇的に小さくなり、光学系には通常光学系よりも光学収差、特に軸上色収差を抑えた高い結像性能が要求される。
また、価格要求に対して、ウエハー状に多数個のレンズを一度に作りコストを削減するという技術が知られている。
ウエハー状に多数個のレンズを一度に作る例としては、たとえば特許文献１に記載された技術に代表されるものがある。
【先行技術文献】
【特許文献】
【０００４】
【特許文献１】ＵＳ２００６/００４４４５０Ａ１
【発明の概要】
【発明が解決しようとする課題】
【０００５】
上述した特許文献１では、ウエハーレベルオプティクスのさまざまな技術が紹介されているが、当初この技術の対象がＣＩＦ,ＶＧＡ等の低画素であったため、光学性能は３メガピクセル以上にはいまだ使えないレベルである。
すなわち、３メガ以上の高画素でこの技術を導入しようとすれば、軸上色収差ならびに諸収差を十分減らした高度な光学設計が必要である。
【０００６】
本発明は、ウエハーレベルオプティクスで最適なレンズを実現することが可能な光学ユニットおよび撮像装置を提供することにある。
【課題を解決するための手段】
【０００７】
本発明の第１の観点の光学ユニットは、物体側から像面側に向かって順番に配置された、第１レンズ群と、第２レンズ群と、を有し、上記第１レンズ群は、物体側から像面側に向かって順番に配置された、第１レンズエレメントと、第１透明体と、第２レンズエレメントと、を含み、上記第２レンズ群は、物体側から像面側に向かって順番に配置された、第３レンズエレメントと、第２透明体と、第４レンズエレメントと、を含む。
【０００８】
本発明の第２の観点の光学ユニットは、物体側から像面側に向かって順番に配置された、第１レンズ群と、第２レンズ群と、を有し、上記第１レンズ群は、物体側から像面側に向かって順番に配置された、第１レンズエレメントと、第１バッファ層と、第１透明体と、第２レンズエレメントと、を含み、上記第２レンズ群は、物体側から像面側に向かって順番に配置された、第３レンズエレメントと、第２透明体と、第２バッファ層と、第４レンズエレメントと、を含む。
【０００９】
本発明の第３の観点の撮像装置は、撮像素子と、撮像素子に被写体像を結像する撮像レンズと、を有し、上記撮像レンズは、物体側から像面側に向かって順番に配置された、第１レンズ群と、第２レンズ群と、を有し、上記第１レンズ群は、物体側から像面側に向かって順番に配置された、第１レンズエレメントと、第１透明体と、第２レンズエレメントと、を含み、上記第２レンズ群は、物体側から像面側に向かって順番に配置された、第３レンズエレメントと、第２透明体と、第４レンズエレメントと、を含む。
【発明の効果】
【００１０】
本発明によれば、ウエハーレベルオプティクスで最適なレンズを実現することができる。
【図面の簡単な説明】
【００１１】
【図１】本発明の第１の実施形態に係る撮像レンズの構成例を示す図である。
【図２】本実施形態に係る第４レンズエレメントの面形状の一例を模式的に示す図である。
【図３】本実施形態に係る撮像レンズの各レンズ群を構成する各レンズ、基板、並びに撮像部を構成するカバーガラスに対して付与した面番号を示す図である。
【図４】実施例１において、球面収差、非点収差、および歪曲収差を示す収差図である。
【図５】本発明の第２の実施形態に係る撮像レンズの構成例を示す図である。
【図６】実施例２において、球面収差、非点収差、および歪曲収差を示す収差図である。
【図７】本発明の第３の実施形態に係る撮像レンズの構成例を示す図である。
【図８】実施例３において、球面収差、非点収差、および歪曲収差を示す収差図である。
【図９】本発明の第４の実施形態に係る撮像レンズの構成例を示す図である。
【図１０】本発明の第５の実施形態に係る撮像レンズの構成例を示す図である。
【図１１】本実施形態に係る撮像レンズが採用される撮像装置の構成例を示すブロック図である。
【発明を実施するための形態】
【００１２】
以下、本発明の実施形態を添付図面に関連付けて説明する。
なお、説明は以下の順序で行う。
１．第１の実施形態（光学ユニットを採用した撮像レンズの第１の構成例）
２．第２の実施形態（光学ユニットを採用した撮像レンズの第２の構成例）
３．第３の実施形態（光学ユニットを採用した撮像レンズの第３の構成例）
４．第４の実施形態（光学ユニットを採用した撮像レンズの第４の構成例）
５．第５の実施形態（光学ユニットを採用した撮像レンズの第５の構成例）
６．第６の実施形態（撮像装置の構成例）
【００１３】
＜１．第１の実施形態＞
図１は、本発明の第１の実施形態に係る光学ユニットを採用した撮像レンズの構成例を示す図である。
【００１４】
本第１の実施形態の撮像レンズ１００は、図１に示すように、物体側ＯＢＪＳから像面側に向かって順番に配置された、第１レンズ群１１０、第２レンズ群１２０、カバーガラス１３０、および像面１４０を有する。
この撮像レンズ１００は、単焦点レンズとして形成されている。そして、第１レンズ群１１０および第２レンズ群１２０により光学ユニットが形成される。
【００１５】
第１レンズ群１１０および第２レンズ群１２０は、透明体を挟んで配置された２つのレンズエレメントを含む接合体により形成されている。
【００１６】
具体的には、第１レンズ群１１０は、物体側ＯＢＪＳから像面１４０側に向かって順番に配置された、第１レンズエレメント１１１、第１バッファ層１１２、第１透明体１１３、および第２レンズエレメント１１４と、を含み、これらの接合体により形成されている。
第２レンズ群１２０は、物体側ＯＢＪＳから像面１４０側に向かって順番に配置された第３レンズエレメント１２１、第２透明体１２２、第２バッファ層１２３、および第４レンズエレメント１２４と、を含み、これらの接合体により形成されている。
第１バッファ層１１２および第２バッファ層１２３は、レンズの一部であり、レンズ材と同じ材料により形成されている。第１バッファ層１１２および第２バッファ層１２３は、精度が別々にバッファ層として得られない部分を定めて設計され、製造される。
【００１７】
このように、第１レンズ群１１０および第２レンズ群１２０は、レンズエレメントと透明体との接合体により形成されていることから、撮像レンズ１００は、全体としてレンズ面は、第１面ＳＦ１、第２面ＳＦ２、第３面ＳＦ３、および第４面ＳＦ４を有している。
第１面ＳＦ１は第１レンズエレメント１１１の物体側面により形成され、第２面ＳＦ２は第２レンズエレメント１１４の像面側面により形成される。
第３面ＳＦ３は第３レンズエレメント１２１の物体側面により形成され、第４面ＳＦ４は第４レンズエレメント１２４の像面側面により形成される。
【００１８】
そして、本実施形態の撮像レンズ１００は、基本的に、第１レンズ群１１０および第２レンズ群１２０は一方が正のパワーを、他方が負のパワーを持つように形成される。
【００１９】
単焦点レンズである撮像レンズ１００において、像面１４０は、ＣＣＤセンサやＣＭＯＳセンサ等の固体撮像素子の撮像面（受像面）が配置されることを想定している。
カバーガラス１３０は、第４面ＳＦ４と像面１４０との間に配置されている。第４面ＳＦ４と像面１４０との間には、樹脂またはガラスで形成されるカバーガラス１３０や赤外カットフィルタやローパスフィルタなどの他、光学部材が配置されていてもよい。
なお、本実施形態では、図１において、左側が物体側（前方）であり、右側が像面側（後方）である。
そして、物体側から入射した光束は像面１４０上に結像される。
【００２０】
以下、本実施形態の撮像レンズの構成とその作用について説明する。
【００２１】
第１レンズ群１１０において、第１透明体１１３は、たとえばアッベ数νｇ１が小さく屈折率ｎｇ１が高い、平板状のガラス基板により形成される。
第１透明体（第１ガラス基板）１１３の物体側面に第１バッファ層１１２が形成され、第１バッファ層１１２のさらに物体側ＯＢＪＳに第１レンズエレメント１１１が接合して形成されている。
第１レンズエレメント１１１は、第１面ＳＦ１を形成する物体側の面が凸形状でアッベ数νｓ１が大きい非球面レンズにより形成されている。
第１透明体（第１ガラス基板）１１３の像面側面に第２レンズエレメント１１４が接合して形成されている。
第２レンズエレメント１１４は、第２面ＳＦ２を形成する像面側の面が凹形状の非球面レンズにより形成されている。
【００２２】
第２レンズ群１２０において、第２透明体１２２は、たとえばアッベ数νｇ２が大きく、屈折率ｎｇ２が低い、平板状のガラス基板により形成される。
第２透明体（第２ガラス基板）１２２の物体側面に第３レンズエレメント１２１が接合して形成されている。
第３レンズエレメント１２１は、第３面ＳＦ３を形成する物体側面が凹形状の非球面レンズにより形成されている。
第２透明体（第２ガラス基板）１２２の像面側面に第２バッファ層１２３が形成され、第２バッファ層１２３のさらに像面側に第４レンズエレメント１２４が接合して形成されている。
第４レンズエレメント１２４は、第４面ＳＦ４を形成する像面側の面が凸形状または凸凹混合の凸凹形状の非球面レンズにより形成されている。
【００２３】
図２は、本実施形態に係る第４レンズエレメント１２４の面形状の一例を模式的に示す図である。
図２においては、第２レンズ群１２０が、第２バッファ層を省略して示されている。
【００２４】
図２の第４レンズエレメント１２４は、物体側が平状で像面側が凸状および凹状が混合する平凸凹レンズにより形成されている。
第４レンズエレメント１２４は、光軸ＯＸを含む光軸の周辺部が凹状に形成された凹状部１２４１と、凹状部１２４１のさらに外周側の周辺部が凸状に形成された凸状部１２４２と、を有する。
さらに、第４レンズエレメント１２４は、凸状部１２４２のさらに外周側の周辺部が平状に形成された平状部１２４３を有する。
【００２５】
なお、以下の説明では、第１透明体１１３を同じ符号を用いて第１ガラス基板として、第２透明体１２２を同じ符号を用いて第２ガラス基板として表す場合がある。
【００２６】
第１レンズエレメント１１１、第２レンズエレメント１１４、第３レンズエレメント１２１、および第４レンズエレメント１２４は、紫外線（ＵＶ）硬化樹脂や熱硬化樹脂、あるいはプラスチック等により形成される。
ここで、第１バッファ層１１２および第２バッファ層１２３は、レンズ材質と同様の硝材で基本的にレンズの一部であるが、精度の出ない部分を別枠バッファ層として定義して、設計、製造しているものである。
精度が出ない理由は、ＵＶ硬化樹脂や熱硬化樹脂、もしくはプラスッチック等は、硬化時に５％から７％の収縮が生じ、このことと、基板に貼り付けることとの兼ね合せにより、収縮の振る舞いが予想できないことによる。
【００２７】
このように、本第１の実施形態の撮像レンズ１は、２群６枚構成のレンズで形成されている。
第１レンズ群１１０が、物体側から像面側に向かって、凸形状でアッベ数νｓ１が大きい非球面レンズの第１面ＳＦ１、アッベ数νｇ１が小さく屈折率ｎｇ１が高い第１透明体（第１ガラス基板）１１３、および凹形状の非球面レンズの第２面ＳＦ２により形成される。
第２レンズ群１２０が、物体側から像面側に向かって、凹形状の非球面レンズの第３面ＳＦ３、アッベ数νｇ２が大きく屈折率ｎｇ２が低い第２透明体（第２ガラス基板）１２２、非球面レンズの第４面ＳＦ４により形成される。
【００２８】
そして、単焦点レンズである本実施形態の撮像レンズ１は、以下の条件式（１)〜(１３)を満足するように構成されている。
【００２９】
条件式（１）では、第１レンズ群１１０の第１ガラス基板（第１透明体）１１３の屈折率ｎｇ１の条件が規定されている。
【００３０】
［数１］
１．６５  ≦  ｎｇ１  ≦  ２．２    ・・・（１）
【００３１】
本撮像レンズ１００においては、第１レンズ群１１０で、第１透明体１１３として屈折率ｎｇ１の高い第１ガラス基板を使うことにより、第１面ＳＦ１を通ってきた光の入射角度を減らし、ここで発生する非点収差とコマ収差を減らす。
また、条件式（１）の上限は主に材料の制限による。現在世の中にある材料の屈折率の上限が２．２程度であり、それゆえ第１ガラス基板１１３の屈折率ｎｇ１には上限ができる。
この最適条件が条件式(1)である。
【００３２】
条件式（２）では、第１レンズ群１１０の第１ガラス基板１１３のアッベ数νｇ１の条件が規定されている。
【００３３】
［数２］
１２  ≦  νｇ１  ≦  ４５      ・・・（２）
【００３４】
第１レンズ群１１０は、アッベ数大の第１レンズエレメント１１１を形成する凸レンズ、次のアッベ数小の第１ガラス基板１１３で色収差を消す。第１ガラス基板１１３のアッベ数νｇ１が大きくなると色収差を消せず、アッベ数νｇ１が小さい場合には上記と同様材料の制限で下限ができる。
この最適条件が条件式(２)である。
【００３５】
条件式（３）および（４）では、第１レンズ群１１０の焦点距離ｆｇ１、および第２レンズ群１２０の焦点距離ｆｇ２の条件が規定されている。
【００３６】
［数３］
１．２  ≦  ｆｇ１  ≦  ４      ・・・（３）
【００３７】
［数４］
−１０  ≦  ｆｇ２  ≦  −１．２  ・・・（４）
【００３８】
第１レンズ群１１０と第２レンズ群１２０の相乗効果で諸収差を補正するには、片方が正のパワーでまた一方が負のパワーが良い。
ここでは、光学全長が短いことが要求されるので、第１レンズ群１１０が正のパワー、第２レンズ群１２０が負のパワーになることが望ましい。
ところが、この条件が行き過ぎると非常に小さい群間偏芯でも大きく特性に影響を及ぼすようになり、製造トレランスが狭くなる。
この最適条件が条件式（３）および（４）である。
【００３９】
条件式（５）では、第１面ＳＦ１を形成する第１レンズエレメント１１１のアッベ数νｓ１の条件が規定されている。上述したように、第１レンズエレメント１１１は、凸形状でアッベ数νｓ１が大きい非球面レンズにより形成される。
【００４０】
［数５］
４５  ≦  νｓ１  ≦  １００        ・・・（５）
【００４１】
第１レンズ群１１０はアッベ数大の凸レンズ、次のアッベ数小の第１ガラス基板１１３で色収差を消す。
アッベ数が小さくなると色収差を消せず、また、材料の制限でアッベ数非常に大きい材料が存在しない。
よってこの最適条件が条件式（５）である。
【００４２】
条件式（６）では、第２レンズ群１２０の第２ガラス基板（第２透明体）１２２の屈折率ｎｇ２の条件が規定されている。
【００４３】
［数６］
１．２  ≦  ｎｇ２  ≦  １．６５    ・・・（６）
【００４４】
第２レンズ群１２０は、第１レンズ群１１０と逆に非点収差とコマ収差をより多く補正したいので、第２ガラス基板１２２の屈折率ｎｇ２が小さいほうが良い。
第２ガラス基板１２２の屈折率ｎｇ２の上限がこのために決まり、下限は上記同様材料の制約で決まる。
この最適条件が条件式（６）である。
【００４５】
条件式（７）では、第２レンズ群１２０の第２ガラス基板１２２のアッベ数νｇ２の条件が規定されている。
【００４６】
［数７］
３５  ≦  νｇ２  ≦  １００        ・・・（７）
【００４７】
第２レンズ群１２０はアッベ数の大きい第２ガラス基板１２２で最適な全体色消しを行う。アッベ数が小さい、すなわち分散が大きいと今まで消した色収差を発生させるので、好ましくない。また、第２ガラス基板１２２のアッベ数νｇ２の上限は上記同様に材料の制限で決まる。
よってこの最適条件が条件式（７）である。
【００４８】
条件式（８）では、第４レンズエレメント１２４の像面側面、すなわち第４面ＳＦ４の曲率半径Ｒｓ４の条件が規定されている。上述したように、第４レンズエレメント１２４は、非球面レンズにより形成されている。
【００４９】
［数８］
Ｒｓ４  ≦  −３［ｍｍ］、または、Ｒｓ４  ≧  １０［ｍｍ］・・・（８）
【００５０】
第４面ＳＦ４の曲率半径Ｒｓ４が極端に正になった場合、光軸近傍よりも周辺の面が像側に突出する形状となり撮像素子で反射した光が、また第４面ＳＦ４で反射しゴーストを発生しやすい形状となるため好ましくない。
同時に、こういった場合、周辺の光をより周辺に跳ね上げることになるので、撮像素子（センサ）に対する入射角度がきつくなり、好ましくない。
さらに、突出部によりバックフォーカスが短くなってしまうという問題も起こる。また、負の曲率がきつくなりすぎると、像面湾曲がマイナスになり補正が困難となる。
十分なバックフォーカスを確保し、望ましいイメージャ入射角を満たし、望ましいカメラ性能を得る最適条件が条件式（８）になる。
【００５１】
条件式（９）では、第１ガラス基板１１３の厚さＴｇ１の条件が規定されている。
【００５２】
［数９］
０．２  ≦  Ｔｇ１  ≦  ０．７［ｍｍ］・・・（９）
【００５３】
第１レンズ群１１０で発生する非点収差とコマ収差を減らすには、第１ガラス基板１１３が薄い方がよい。よって、第１ガラス基板１１３の厚さＴｇ１には上限が発生する。
また、薄すぎる場合、基板が反り製造できなくなる。このため、第１ガラス基板１１３には下限が存在する。
よって、この最適条件が条件式（９）である。
【００５４】
条件式（１０）では、第２ガラス基板１２２の厚さＴｇ２の条件が規定されている。
【００５５】
［数１０］
０．２  ≦  Ｔｇ２  ≦  ２．５［ｍｍ］・・・（１０）
【００５６】
第２レンズ群１２０は、第１レンズ群１１０と逆に非点収差とコマ収差をより多く補正する必要があることから、第２ガラス基板１２２の厚さＴｇ２を収差が出過ぎないほどの厚さの方が良い。
また、この厚さＴｇ２は全体光学長にも依存する。第２のガラス基板１２２の厚さＴｇ２が厚すぎると特にコマ収差が発生しすぎて特性が劣化し、薄すぎると、収差補正が十分でなくなる。もしくは上記同様に基板が反り製造できなくなる。
よってこの最適条件が条件式（１０）である。
【００５７】
条件式（１１）では、第１バッファ層１１２および第２バッファ層１２３の厚さＴｂｕｆの条件が規定されている。
【００５８】
［数１１］
０．００５［ｍｍ］  ≦  Ｔｂｕｆ  ≦  ０．３００［ｍｍ］・・・（１１） 
【００５９】
凸形状もしくは周辺が凸形状に類するもののとき、バッファ層が必要になる。
これは、基板にレンズを貼り付けるときに、基板近くのレンズの形状精度が出にくいことによる。バッファ層の厚さＴｂｕｆが厚すぎると収差が発生して光学特性、特に非点収差とコマ収差を劣化させ、薄すぎると境界近傍の形状精度が出なくなる。
よってこの最適条件が条件式（１１）である。
【００６０】
条件式（１２）では、第２レンズエレメント１１４のアッベ数νｓ２の条件が規定されている。
【００６１】
［数１２］
２８  ≦  νｓ２  ≦  ６５        ・・・（１２）
【００６２】
軸上色収差を補正するためには、第２レンズエレメント１１４のアッベ数νｓ２が小さいほうが良い。
そのアッベ数νｓ２の下限は、第２レンズエレメント１１４の材料の限界で決まる。
一方で、アッベ数が大きいほうが第１レンズ群１１０、第２レンズ群１２０のパワーが弱まり、群偏芯の敏感度が下がり製造トレランスが広くなる。よって最適値が存在する。
この最適条件が条件式(１２)である。
【００６３】
条件式（１３）では、第３レンズエレメント１２１のアッベ数νｓ３の条件が規定されている。
【００６４】
［数１３］
２８  ≦  νｓ３  ≦  ４２        ・・・（１３）
【００６５】
軸上色収差を補正するためには、第３レンズエレメント１２１のアッベ数νｓ３が小さいほうが良い。
そのアッベ数νｓ２の上限は色収差で決まり、下限は第２レンズエレメント１１４の材料の限界で決まる。よって最適値が存在する。
この最適条件が条件式(１３)である。
【００６６】
上記の条件式（１）〜（１３）は、以下で取り扱う実施例１，２，３に共通するものであり、必要に応じて適宜採用することで、個々の撮像素子または撮像装置に適したより好ましい結像性能とコンパクトな光学系が実現される。
【００６７】
なお、レンズの非球面の形状は、物体側から像面側へ向かう方向を正とし、ｋを円錐係数、Ａ、Ｂ、Ｃ、Ｄを非球面係数、ｒを中心曲率半径としたとき次式で表される。ｙは光軸からの光線の高さ、ｃは中心曲率半径ｒの逆数（１／ｒ）をそれぞれ表している。
ただし、Ｘは非球面頂点に対する接平面からの距離を、Ａは４次の非球面係数を、Ｂは６次の非球面係数を、Ｃは８次の非球面係数を、Ｄは１０次の非球面係数を、Ｅは１２次の非球面係数を、Ｆは１４次の非球面係数をそれぞれ表している。
【００６８】
【数１４】
2010211173.tif 000003
【００６９】
図３は、本実施形態に係る撮像レンズの各レンズ群を構成する各レンズ、基板、並びに撮像部を構成するカバーガラスに対して付与した面番号を示す図である。
【００７０】
具体的には、第１レンズエレメント１１１の物体側面（凸面）に第１番、第１レンズエレメント１１１の像面側面と第１バッファ層１１２の物体側面との境界面（接合面）に第２番の面番号が付与されている。
第１バッファ層１１２の像面側面と第１透明体（第１ガラス基板）１１３の物体側面との境界面(接合面)に第３番、第１透明体（第１ガラス基板）１１３の像面側面と第２レンズエレメント１１４の物体側面との境界面（接合面）に第４番の面番号が付与されている。第２レンズエレメント１１４の像面側面（凹面）に第５番の面番号が付与されている。
第３レンズエレメント１２１の物体側面（凹面）に第６番、第３レンズエレメント１２１の像面側面と第２透明体（第２ガラス基板）１２２の物体側面との境界面（接合面）に第７番の面番号が付与されている。
第２透明体（第２ガラス基板）１２２の像面側面と第２バッファ層１２３の物体側面との境界面（接合面）に第８番、第２バッファ層１２３の像面側面と第４レンズエレメント１２４の物体側面との境界面（接合面）に第９の面番号が付与されている。
第４レンズエレメント１２４の像面側面（非球面）に第１０番、カバーガラス１３０の物体側面に第１１番の面番号が付与されている。
【００７１】
また、図３に示すように、本実施形態の撮像レンズ１００において、第１レンズエレメント１１１の物体側面（第１番）１の中心曲率半径はＲ１に設定される。
第１レンズエレメント１１１の像面側面と第１バッファ層１１２の物体側面との境界面（接合面）２の中心曲率半径はＲ２に設定される。
第１バッファ層１１２の像面側面と第１透明体（第１ガラス基板）１１３の物体側面との境界面(接合面)３の中心曲率半径はＲ３に設定される。
第１透明体（第１ガラス基板）１１３の像面側面と第２レンズエレメント１１４の物体側面との境界面（接合面）４の中心曲率半径はＲ４に、第２レンズエレメント１１４の像面側面（凹面）５の中心曲率半径はＲ５に設定される。
第３レンズエレメント１２１の物体側面（凹面）６の中心曲率半径はＲ６に、第３レンズエレメント１２１の像面側面と第２透明体（第２ガラス基板）１２２の物体側面との境界面（接合面）７の中心曲率半径はＲ７に設定される。
第２透明体（第２ガラス基板）１２２の像面側面と第２バッファ層１２３の物体側面との境界面（接合面）８の中心曲率半径はＲ８に設定される。
第２バッファ層１２３の像面側面と第４レンズエレメント１２４の物体側面との境界面（接合面）９の中心曲率半径はＲ９に設定される。
第４レンズエレメント１２４の像面側面（非球面）１０の中心曲率半径はＲ１０に、カバーガラス１３０の物体側面１１の中心曲率半径はＲ１１に設定される。
なお、面２，３，４，７，８，９、および１１の中心曲率半径Ｒ２，Ｒ３，Ｒ４，Ｒ７，Ｒ８，Ｒ９、およびＲ１１は無限（ＩＮＦＩＮＩＴＹ）である。
【００７２】
また、図３に示すように、第１レンズエレメント１１１の厚さとなる面１と面２間の光軸ＯＸ上の距離がｄ１に、第１バッファ層１１２の厚さとなる面２と面３間の光軸ＯＸ上の距離がｄ２に設定される。
第１透明体（第１ガラス基板）１１３の厚さとなる面３と面４間の光軸ＯＸ上の距離がｄ３、第２レンズエレメント１１４の厚さとなる面４と面５間の光軸ＯＸ上の距離がｄ４に設定される。
第２レンズエレメント１１４の像面側面５と第３レンズエレメントの物体側面６間の光軸ＯＸ上の距離がｄ５に設定される。
第３レンズエレメント１２１の厚さとなる面６と面７間の光軸ＯＸ上の距離がｄ６に、第２透明体（第２ガラス基板）１２２の厚さとなる面７と面８間の光軸ＯＸ上の距離がｄ７に設定される。
第２バッファ層１２３の厚さとなる面８と面９間の光軸ＯＸ上の距離がｄ８に、第４レンズエレメント１２４の厚さとなる面９と面１０間の光軸ＯＸ上の距離がｄ９に設定される。
第４レンズエレメント１２４の像面側面１０とカバーガラス１３０の物体側面１１間の光軸ＯＸ上の距離がｄ１０に、カバーガラス１３０の厚さとなる物体側面１１と像面側面間の光軸ＯＸ上の距離がｄ１１に設定される。
【００７３】
以下に、撮像レンズの具体的な数値による実施例１を示す。なお、実施例１においては、撮像レンズ１００の各レンズエレメント、バッファ層、ガラス基板（透明体）、撮像部を構成するカバーガラス１３０に対して、図３に示すような面番号が付与されている。
【００７４】
［実施例１］
表１、表２、表３、および表４に実施例１の各数値が示されている。実施例１の各数値は図１の撮像レンズ１００に対応している。
【００７５】
表１は、実施例１における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【００７６】
【表１】
2010211173.tif 000004
【００７７】
表２は、実施例１における非球面を含む第１レンズエレメント１１１の面１、第２レンズエレメント１１４の面５、第３レンズエレメント１２１の面６、並びに第４レンズエレメント１２４の面１０の４次、６次、８次、１０次、１２次、１４次の非球面係数を示す。
表２において、Ｋは円錐定数を、Ａは４次の非球面係数を、Ｂは６次の非球面係数を、Ｃは８次の非球面係数を、Ｄは１０次の非球面係数を、Ｅは１２次の非球面係数を、Ｆは１４次の非球面係数をそれぞれ表している。
【００７８】
【表２】
2010211173.tif 000005
【００７９】
表３は、実施例１における撮像レンズ１００の焦点距離ｆ、開口数Ｆ、半画角ω、レンズ長Ｈが具体的に示されている。
ここで、焦点距離ｆは４．０３［ｍｍ］に、開口数Ｆは２．８に、半画角ωは３０．１ｄｅｇに、レンズ長Ｈは４．５０［ｍｍ］に設定されている。
【００８０】
【表３】
2010211173.tif 000006
【００８１】
表４は、実施例１においては、上記各条件式（１）〜（１３）を満足することを示す。
【００８２】
【表４】
2010211173.tif 000007
【００８３】
表４に示すように、実施例１では、第１レンズ群１１０の第１ガラス基板１１３の屈折率ｎｇ１は１．８５に設定され、条件式（１）で規定される条件を満足している。第１レンズ群１１０の第１ガラス基板１１３のアッベ数νｇ１は２３．６に設定され、条件式（２）で規定される条件を満足している。
第１レンズ群１１０の焦点距離ｆｇ１は２．５２に設定され、条件式（３）で規定される条件を満足している。第２レンズ群１２０の焦点距離ｆｇ２は−３．５４に設定され、条件式（４）で規定される条件を満足している。
第１面ＳＦ１を含む第１レンズエレメント１１１のアッベ数νｓ１は６０に設定され、条件式（５）で規定される条件を満足している。
第２レンズ群１２０の第２ガラス基板１２２の屈折率ｎｇ２は１．５２に設定され、条件式（６）で規定される条件を満足している。第２レンズ群１２０の第２ガラス基板１２２のアッベ数νｇ２は５５に設定され、条件式（７）で規定される条件を満足している。
第４レンズエレメント１２４の像面側面１０に相当する第４面ＳＦ４の曲率半径Ｒｓ４は−１１００に設定され、条件式（８）で規定される条件を満足している。
第１ガラス基板１１３の厚さＴｇ１は０．４［ｍｍ］に設定され、条件式（９）で規定される条件を満足している。第２ガラス基板１２２の厚さＴｇ２は１．６５０［ｍｍ］に設定され、条件式（１０）で規定される条件を満足している。
第１バッファ層１１２および第２バッファ層１２３の厚さＴｂｕｆは０．０７［ｍｍ］に設定され、条件式（１１）で規定される条件を満足している。
第２レンズエレメント１１４のアッベ数νｓ２は４０．５に設定され、条件式（１２）で規定される条件を満足している。
第３レンズエレメント１２１のアッベ数νｓ３は４０．５に設定され、条件式（１３）で規定される条件を満足している。
【００８４】
図４は、実施例１において、球面収差(色収差)、非点収差、および歪曲収差を示す収差図である。図４（Ａ）が球面収差（色収差）、図４（Ｂ）が非点収差を、図４（Ｃ）が歪曲収差をそれぞれ示している。
図４からわかるように、実施例１によれば、球面、非点、歪曲の諸収差が良好に補正され、結像性能に優れた光学ユニットを含む撮像レンズが得られる。
【００８５】
＜２．第２の実施形態＞
図５は、本発明の第２の実施形態に係る撮像レンズの構成例を示す図である。
【００８６】
図５に示す第２の実施形態に係る撮像レンズ１００Ａと図１に示す第１の実施形態に係る撮像レンズ１００とは、基本的な構成は同じであり、以下に実施例２として示すように、各構成要素のパラメータ等の設定値が異なる。
したがって、ここでは、撮像レンズ１００Ａの詳細な説明は省略する。
以下に、撮像レンズの具体的な数値による実施例２を示す。なお、実施例２においては、撮像レンズ１００Ａの各レンズエレメント、バッファ層、ガラス基板（透明体）、撮像部を構成するカバーガラス１３０に対して、図３に示すような面番号が付与されている。
【００８７】
［実施例２］
表５、表６、表７、および表８に実施例２の各数値が示されている。実施例２の各数値は図５の撮像レンズ１００Ａに対応している。
【００８８】
表５は、実施例２における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【００８９】
【表５】
2010211173.tif 000008
【００９０】
表６は、実施例２における非球面を含む第１レンズエレメント１１１の面１、第１ガラス基板１１３の面４、第２レンズエレメント１１４の面５、並びに第２ガラス基板１２２の面８の４次、６次、８次、１０次の非球面係数を示す。
表６において、Ｋは円錐定数を、Ａは４次の非球面係数を、Ｂは６次の非球面係数を、Ｃは８次の非球面係数を、Ｄは１０次の非球面係数をそれぞれ表している。
【００９１】
【表６】
2010211173.tif 000009
【００９２】
表７は、実施例２における撮像レンズ１００Ａの焦点距離ｆ、開口数Ｆ、半画角ω、レンズ長Ｈが具体的に示されている。
ここで、焦点距離ｆは３．２１［ｍｍ］に、開口数Ｆは２．８に、半画角ωは３０．４ｄｅｇに、レンズ長Ｈは３．６０［ｍｍ］に設定されている。
【００９３】
【表７】
2010211173.tif 000010
【００９４】
表８は、実施例２においては、上記各条件式（１）〜（１３）を満足することを示す。
【００９５】
【表８】
2010211173.tif 000011
【００９６】
表８に示すように、実施例２では、第１レンズ群１１０の第１ガラス基板１１３の屈折率ｎｇ１は１．８１に設定され、条件式（１）で規定される条件を満足している。第１レンズ群１１０の第１ガラス基板１１３のアッベ数νｇ１は４０．９に設定され、条件式（２）で規定される条件を満足している。
第１レンズ群１１０の焦点距離ｆｇ１は１．９６に設定され、条件式（３）で規定される条件を満足している。第２レンズ群１２０の焦点距離ｆｇ２は−２．５１に設定され、条件式（４）で規定される条件を満足している。
第１面ＳＦ１を含む第１レンズエレメント１１１のアッベ数νｓ１は６０に設定され、条件式（５）で規定される条件を満足している。
第２レンズ群１２０の第２ガラス基板１２２の屈折率ｎｇ２は１．５８に設定され、条件式（６）で規定される条件を満足している。第２レンズ群１２０の第２ガラス基板１２２のアッベ数νｇ２は４０．７に設定され、条件式（７）で規定される条件を満足している。
第４レンズエレメント１２４の像面側面１０に相当する第４面ＳＦ４の曲率半径Ｒｓ４は−１１００に設定され、条件式（８）で規定される条件を満足している。
第１ガラス基板１１３の厚さＴｇ１は０．４［ｍｍ］に設定され、条件式（９）で規定される条件を満足している。第２ガラス基板１２２の厚さＴｇ２は０．８６５［ｍｍ］に設定され、条件式（１０）で規定される条件を満足している。
第１バッファ層１１２および第２バッファ層１２３の厚さＴｂｕｆは０．０３５［ｍｍ］に設定され、条件式（１１）で規定される条件を満足している。
第２レンズエレメント１１４のアッベ数νｓ２は４０．５に設定され、条件式（１２）で規定される条件を満足している。
第３レンズエレメント１２１のアッベ数νｓ３は４０．５に設定され、条件式（１３）で規定される条件を満足している。
【００９７】
図６は、実施例２において、球面収差（色収差）、非点収差、および歪曲収差を示す収差図である。図６（Ａ）が球面収差(色収差)、図６（Ｂ）が非点収差を、図６（Ｃ）が歪曲収差をそれぞれ示している。
図６からわかるように、実施例２によれば、球面、非点、歪曲の諸収差が良好に補正され、結像性能に優れた光学ユニットを含む撮像レンズが得られる。
【００９８】
＜３．第３の実施形態＞
図７は、本発明の第３の実施形態に係る撮像レンズの構成例を示す図である。
【００９９】
図７に示す第３の実施形態に係る撮像レンズ１００Ｂと図１に示す第１の実施形態に係る撮像レンズ１００とは、基本的な構成は同じであり、以下に実施例３として示すように、各構成要素のパラメータ等の設定値が異なる。
したがって、ここでは、撮像レンズ１００Ｂの詳細な説明は省略する。
以下に、撮像レンズの具体的な数値による実施例３を示す。なお、実施例３においては、撮像レンズ１００Ｂの各レンズエレメント、バッファ層、ガラス基板（透明体）、撮像部を構成するカバーガラス１３０に対して、図３に示すような面番号が付与されている。
【０１００】
［実施例３］
表９、表１０、表１１、および表１２に実施例３の各数値が示されている。実施例３の各数値は図７の撮像レンズ１００Ｂに対応している。
【０１０１】
表９は、実施例３における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【０１０２】
【表９】
2010211173.tif 000012
【０１０３】
表１０は、実施例１における非球面を含む第１レンズエレメント１１１の面１、第２レンズエレメント１１４の面５、第３レンズエレメント１２１の面６、並びに第４レンズエレメント１２４の面１０の４次、６次、８次、１０次、１２次、１４次の非球面係数を示す。
表２において、Ｋは円錐定数を、Ａは４次の非球面係数を、Ｂは６次の非球面係数を、Ｃは８次の非球面係数を、Ｄは１０次の非球面係数を、Ｅは１２次の非球面係数を、Ｆは１４次の非球面係数をそれぞれ表している。
【０１０４】
【表１０】
2010211173.tif 000013
【０１０５】
表１１は、実施例３における撮像レンズ１００Ｃの焦点距離ｆ、開口数Ｆ、半画角ω、レンズ長Ｈが具体的に示されている。
ここで、焦点距離ｆは４．０４［ｍｍ］に、開口数Ｆは２．８に、半画角ωは３０．１ｄｅｇに、レンズ長Ｈは４．５０［ｍｍ］に設定されている。
【０１０６】
【表１１】
2010211173.tif 000014
【０１０７】
表１２は、実施例３においては、上記各条件式（１）〜（１３）を満足することを示す。
【０１０８】
【表１２】
2010211173.tif 000015
【０１０９】
表１２に示すように、実施例３では、第１レンズ群１１０の第１ガラス基板１１３の屈折率ｎｇ１は１．８５に設定され、条件式（１）で規定される条件を満足している。第１レンズ群１１０の第１ガラス基板１１３のアッベ数νｇ１は２３．６に設定され、条件式（２）で規定される条件を満足している。
第１レンズ群１１０の焦点距離ｆｇ１は２．６８５に設定され、条件式（３）で規定される条件を満足している。第２レンズ群１２０の焦点距離ｆｇ２は−４．０２に設定され、条件式（４）で規定される条件を満足している。
第１面ＳＦ１を含む第１レンズエレメント１１１のアッベ数νｓ１は６０に設定され、条件式（５）で規定される条件を満足している。
第２レンズ群１２０の第２ガラス基板１２２の屈折率ｎｇ２は１．５２に設定され、条件式（６）で規定される条件を満足している。第２レンズ群１２０の第２ガラス基板１２２のアッベ数νｇ２は５５に設定され、条件式（７）で規定される条件を満足している。
第４レンズエレメント１２４の像面側面１０に相当する第４面ＳＦ４の曲率半径Ｒｓ４は−１１００に設定され、条件式（８）で規定される条件を満足している。
第１ガラス基板１１３の厚さＴｇ１は０．４９４［ｍｍ］に設定され、条件式（９）で規定される条件を満足している。第２ガラス基板１２２の厚さＴｇ２は１．３５５［ｍｍ］に設定され、条件式（１０）で規定される条件を満足している。
第１バッファ層１１２および第２バッファ層１２３の厚さＴｂｕｆは０．０７［ｍｍ］に設定され、条件式（１１）で規定される条件を満足している。
第２レンズエレメント１１４のアッベ数νｓ２は６０に設定され、条件式（１２）で規定される条件を満足している。
第３レンズエレメント１２１のアッベ数νｓ３は４０．５に設定され、条件式（１３）で規定される条件を満足している。
【０１１０】
図８は、実施例３において、球面収差（色収差）、非点収差、および歪曲収差を示す収差図である。図８（Ａ）が球面収差(色収差)、図８（Ｂ）が非点収差を、図８（Ｃ）が歪曲収差をそれぞれ示している。
図８からわかるように、実施例２によれば、球面、非点、歪曲の諸収差が良好に補正され、結像性能に優れた光学ユニットを含む撮像レンズが得られる。
【０１１１】
＜４．第４の実施形態＞
図９は、本発明の第４の実施形態に係る撮像レンズの構成例を示す図である。
【０１１２】
図９に示す第４の実施形態に係る撮像レンズ１００Ｃは、図１に示す第１の実施形態に係る撮像レンズ１００のバッファ層を図示しない形態で示し、実設計により形成される撮像レンズの例を示している。
図６の撮像レンズ１００Ｃは図１の撮像レンズ１００と、第１透明体（第１ガラス基板）１１３および第２透明体（第２ガラス基板）１２２の形状が若干異なるが、撮像レンズとして機能としては等価であり、その違いは本質的なものではない。
ここでは、撮像レンズ１００Ｃの詳細な説明は省略する。
【０１１３】
本第４の実施形態に係る撮像レンズ１００Ｃにおいても、図４に示す収差特性と同様の収差特性を得ることが可能である。
すなわち、本第４の実施形態においても、球面、非点、歪曲の諸収差が良好に補正され、結像性能に優れた光学ユニットを含む撮像レンズが得られる。
【０１１４】
＜５．第５の実施形態＞
図１０は、本発明の第５の実施形態に係る撮像レンズの構成例を示す図である。
【０１１５】
図１０に示す第５の実施形態に係る撮像レンズ１００Ｄは、図５に示す第２の実施形態に係る撮像レンズ１００Ａのバッファ層を図示しない形態で示し、実設計により形成される撮像レンズの例を示している。
図１０の撮像レンズ１００Ｄは図５の撮像レンズ１００Ａと、第２レンズエレメント１１４の形状が若干異なるが、撮像レンズとして機能としては等価であり、その違いは本質的なものではない。
ここでは、撮像レンズ１００Ｄの詳細な説明は省略する。
【０１１６】
本第５の実施形態に係る撮像レンズ１００Ｄにおいても、図６に示す収差特性と同様の収差特性を得ることが可能である。
すなわち、本第５の実施形態においても、球面、非点、歪曲の諸収差が良好に補正され、結像性能に優れた光学ユニットを含む撮像レンズが得られる。
【０１１７】
以上説明した本実施形態の撮像レンズ１００は、物体側ＯＢＪＳから像面１４０側に向かって順番に配置された、第１レンズ群１１０と、第２レンズ群１２０と、を有する。
第１レンズ群１１０は、物体側ＯＢＪＳから像面１４０側に向かって順番に配置された、第１レンズエレメント１１１と、第１バッファ層１１２、第１透明体１１３と、第２レンズエレメント１１４と、を含む。
第２レンズ群１２０は、物体側ＯＢＪＳから像面１４０側に向かって順番に配置された、第３レンズエレメント１２１と、第２透明体１２２と、第２バッファ層１２３と、第４レンズエレメント１２４と、を含む。
したがって、本実施形態によれば、以下の効果を得ることができる。
【０１１８】
本実施形態の撮像レンズ１００によれば、ウエハーレベルオプティクスで最適なレンズ（光学設計）を実現することができる。
また、本実施形態においては、第１レンズ群のパワーを強い正、第２レンズ群を強い負にして、光学収差を極力抑えて光学長が短い。
第１レンズ群、第２レンズ群のそれぞれで色収差を抑え、最適構成にすることにより良いカメラ性能を発揮することができる。
最終面第４面の形状を像側に対しおおよそ凸形状にすることによりゴーストが発生しにくい。
また、このことによりセンサに対する入射角度を緩くして最適な光学性能が得られ、十分なバックフォーカスをとることが可能となる。
ウエハーレベルオプティクスで作るのに最適な構成にして、低コストで大量生産することができる。
通常の３群３枚構成の光学系、たとえば、３枚プラスチック構成やガラス‐プラスチック‐プラスチックの３枚構成のものと比べると、この発明の実施形態に係る光学ユニットは、同じ光学長の通常光学系よりも光学特性が優れている。
また、ウエハーオプティクスであるためにイメージャと同じような形に切り出すことができ、小型化ができることからサイズにおいても勝っている。
その上、基板を使うこの技術はより安価に生産できるので、通常光学系よりも同じ光学系性能のものをより安価で生産できる。ウエハーオプティクスはこの発明により、より利点が増える。
そして、本実施形態によれば、全長が短くコンパクトで、諸収差特性に優れた撮像レンズを実現することができる。
【０１１９】
以上説明したような特徴を有する撮像レンズ１００，１００Ａ〜１００Ｄは、ＣＣＤやＣＭＯＳセンサ等の撮像素子を用いたデジタルカメラ、特に、携帯電話等の小型電子機器に搭載されるカメラ用レンズとして適用可能である。
【０１２０】
図１１は、本実施形態に係る光学ユニットを含む撮像レンズが採用される撮像装置の構成例を示すブロック図である。
【０１２１】
本撮像装置２００は、図１１に示すように、本実施形態に係る撮像レンズ１００，１００Ａ〜１００Ｄが適用される光学系２１０、およびＣＣＤやＣＭＯＳイメージセンサ（固体撮像素子）が適用可能な撮像デバイス２２０を有する。
光学系２１０は、撮像デバイス２２０の画素領域を含む撮像面に入射光を導き、被写体像を結像する。
撮像装置２００は、さらに、撮像デバイス２２０を駆動する駆動回路(ＤＲＶ)２３０、および撮像デバイス２２０の出力信号を処理する信号処理回路(ＰＲＣ)２４０を有する。
【０１２２】
駆動回路２３０は、撮像デバイス２２０内の回路を駆動するスタートパルスやクロックパルスを含む各種のタイミング信号を生成するタイミングジェネレータ(図示せず)を有し、所定のタイミング信号で撮像デバイス２２０を駆動する。
【０１２３】
また、信号処理回路２４０は、撮像デバイス２２０の出力信号に対して所定の信号処理を施す。
信号処理回路２４０で処理された画像信号は、たとえばメモリなどの記録媒体に記録される。記録媒体に記録された画像情報は、プリンタなどによってハードコピーされる。また、信号処理回路２４０で処理された画像信号を液晶ディスプレイ等からなるモニターに動画として映し出される。
【０１２４】
上述したように、デジタルスチルカメラ等の撮像装置において、光学系２１０として、先述した撮像レンズ１００，１００Ａ〜１００Ｄを搭載することで、低消費電力で、高精度なカメラが実現できる。
【符号の説明】
【０１２５】
１００，１００Ａ〜１００Ｄ・・・撮像レンズ、１１０，１１０Ａ〜１１０Ｄ・・・第１レンズ群、１１１・・・第１レンズエレメント、１１２・・・第１バッファ層、１１３・・・第１透明体（第１ガラス基板）、１１４・・・第２レンズエレメント、１２１・・・第３レンズエレメント、１２２・・・第２透明体（第２ガラス基板）、１２３・・・第２バッファ層、１２４・・・第４レンズエレメント、１３０・・・カバーガラス、１４０・・・像面、２００・・・撮像装置、２１０・・・光学系、２２０・・・撮像デバイス、２３０・・・駆動回路(ＤＲＶ)、２４０・・・信号処理回路(ＰＲＣ)２４０。
【図１】
2010211173.tif 000016
【図２】
2010211173.tif 000017
【図３】
2010211173.tif 000018
【図４】
2010211173.tif 000019
【図５】
2010211173.tif 000020
【図６】
2010211173.tif 000021
【図７】
2010211173.tif 000022
【図８】
2010211173.tif 000023
【図９】
2010211173.tif 000024
【図１０】
2010211173.tif 000025
【図１１】
2010211173.tif 000026